(57)【要約】【課題】床材の変形を防止することができる床冷暖房用マットを提供する。【解決手段】略平行に配置された複数の長尺な小根太と、小根太に隣接して設置されたパネルと、パネルに設けられた溝に埋設された冷熱媒流通管とを備え、小根太が前記冷熱媒流通管を通すための不連続部を小根太の中間部に有する床冷暖房用マットにおいて、隣接する小根太の中心軸間が２５０ｍｍ以下であり、それぞれの小根太に設けられた不連続部が小根太の長手方向と直交する方向に並んでいることを特徴とする床冷暖房用マットとする。【選択図】図１
2007322082.tif 000002
【特許請求の範囲】
【請求項１】
略平行に配置された複数の長尺な小根太と、前記小根太に隣接して設置されたパネルと、前記パネルに設けられた溝に埋設された冷熱媒流通管とを備え、前記小根太が前記冷熱媒流通管を通すための不連続部を前記小根太の中間部に有する床冷暖房用マットにおいて、
隣接する前記小根太の中心軸間が２５０ｍｍ以下であり、それぞれの前記小根太に設けられた前記不連続部が前記小根太の長手方向と直交する方向に並んでいることを特徴とする床冷暖房用マット。
【請求項２】
前記不連続部の長手方向の大きさが１３０ｍｍ以下であることを特徴とする請求項１に記載の床冷暖房用マット。
【請求項３】
一部または全部の前記小根太が長手方向に複数の前記不連続部を有し、すべての該不連続部の前記小根太長手方向の中心間の距離が、ｎを自然数としたきに１５０×ｎ±２０ｍｍであることを特徴とする請求項１または２に記載の床冷暖房用マット。
【請求項４】
幅が１５ｍｍ〜３０ｍｍである前記小根太を備えることを特徴とする請求項１〜３のいずれか一項に記載の床冷暖房用マット。
【請求項５】
幅が１５ｍｍ〜３０ｍｍの前記小根太と、幅が３５ｍｍ〜６０ｍｍの前記小根太とを備えることを特徴とする請求項１〜３のいずれか一項に記載の床冷暖房用マット。
【請求項６】
前記パネルの厚さが１０ｍｍ以下であることを特徴とする請求項１〜５のいずれか一項に記載の床冷暖房用マット。
【請求項７】
前記小根太の長手方向と直交する方向に巻き取りを可能とする巻き取り手段を備えることを特徴とする請求項１〜６のいずれか一項に記載の床冷暖房用マット。
【請求項８】
前記小根太の長手方向と直交する方向、及び／または平行方向に折り畳み可能とする折り畳み手段を備えることを特徴とする請求項１〜７のいずれか一項に記載の床冷暖房用マット。
【発明の詳細な説明】
【技術分野】
【０００１】
本発明は、床冷暖房に用いられる床冷暖房用マットに関する。詳しくは、床材の変形を防止することができる床冷暖房用マットに関する。
【背景技術】
【０００２】
近年、一般住宅や宿泊施設などの建築物において、居住性を高めるために床冷暖房が使用されている。この床冷暖房に用いられる従来の床冷暖房システムは、図８のとおりである。床冷暖房システム１００は、床面の下に、熱拡散用の放熱シート（図示省略）を床面側の面（以下「表面」という。）に貼り付けた床冷暖房用マット１０１を備えている。床冷暖房用マット１０１は、ヘッダ１０２を介して冷熱媒供給源１０３と接続されている。冷熱媒供給源１０３には、ボイラや冷凍機コンプレッサなどが使用され、ヘッダ１０２と冷熱媒供給源１０３とは、冷熱媒の往き管１０４及び戻り管１０５で接続されている。床冷暖房用マット１０１には、平面状に複数の細長い木製支持体（以下「小根太」という。）１０７、１０７、…が略平行に配置されている。この小根太の１０７、１０７、…の間隔は、一般に建築物において根太が配置される間隔であり、３０３ｍｍとされる。小根太１０７、１０７、…には、パネル１０８、１０８、…が隣接して設置され、このパネル１０８、１０８、…にヘッダ１０２及び冷熱媒流通管（以下「配管」ということがある。）１０６、１０６が埋設される。配管１０６、１０６は、床冷暖房用マット１０１の全体を巡るように配置され、両端がヘッダ１０２に接続される。小根太１０７、１０７、…には、配管１０６、１０６を床冷暖房用マット１０１全体に巡らすため、配管１０６、１０６を通す溝部（以下「不連続部」という。）１０９、１０９、…が刻設されている。床面は、床冷暖房用マット１０１の上に床材１１０を並べて固定することで構成される。床材１１０は、長尺の板材であり、小根太１０７、１０７、…とそれぞれの長手方向を直交する向きで、接着剤とステープルとの併用などにより取り付けられる。なお、図８では、見易さのために、１枚の床材１１０のみを破線で示す。また、特許文献１には、不連続部１０９、１０９、…を挟んで床冷暖房用マット１０１の端部に小小根太１１１を設ける技術が開示されている。かかる構成によれば、床冷暖房用マットの強度及び工作性が改善するとされている。
【０００３】
これにより、床冷暖房システム１００では、暖房時には、冷熱媒供給源１０３において加温された熱媒が、往き管１０４でヘッダ１０２に供給される。熱媒は、ヘッダ１０２で各配管１０６、１０６へ供給され、配管１０６、１０６を通って床冷暖房用マット１０１を循環した後にヘッダ１０２へ戻る。そして、熱媒は、ヘッダ１０２から戻り管１０５で冷熱媒供給源１０３へ送られる。これにより、床冷暖房用マット１０１は熱媒により加熱され、床冷暖房用マット１０１で温められた床面が、輻射熱で室内を暖房する。一方、冷房時は、冷熱媒供給源１０３において冷却された冷媒が、ヘッダ１０２に供給される。これにより床冷暖房用マット１０１が冷却され、床冷暖房用マット１０１で冷やされた床面が室内から吸熱することで冷房される。
【０００４】
この床冷暖房を行う床冷暖房システムは、建築物の新築では、建築過程で設置される。一方で、既存の住宅では、床面を一度撤去して床冷暖房システムを設置することは、大きな改築となり、長期の施工期間と多額の費用が必要となる。そのため、既存の床面の上に床冷暖房システムを後付けで取り付けることが行われている。
【特許文献１】特開平９−１１９６５６号公報
【発明の開示】
【発明が解決しようとする課題】
【０００５】
しかし、この床面に使用される床材には、床冷暖房などにより温度や湿度が変化することで、反りや寸法変化などの変形が生じる場合があった。既存の住宅に後付けにより床冷暖房システムを設置する場合には、施工条件から床材の材質や厚さなどが制限されることがあり、床材が変形しやすいという問題があった。特に、小根太の不連続部に床材の幅方向端部が配置されたときには、不連続部では床材を小根太に固定することができないため、床材を固定しない範囲が大きくなり、床材が変形しやすいという問題があった。
【０００６】
そこで、本発明は、床材の変形を防止することができる床冷暖房用マットを提供することを課題とする。
【課題を解決するための手段】
【０００７】
本発明者らは、上記課題を解決するために鋭意検討した結果、小根太を適切に配置することにより、床材が変形しないように床材を小根太に固定できることを見出し、本発明を完成するに至った。
【０００８】
以下、本発明について説明する。なお、本発明の理解を容易にするために添付図面の参照符号を括弧書きにて付記するが、それにより本発明が図示の形態に限定されるものではない。
【０００９】
請求項１に記載の発明は、略平行に配置された複数の長尺な小根太（１１ａ、１１ｂ、…）と、小根太に隣接して設置されたパネル（１４、１４、…）と、パネルに設けられた溝に埋設された冷熱媒流通管（１５、３１、４３、…）とを備え、小根太が冷熱媒流通管を通すための不連続部（１２、１２、…）を小根太の中間部に有する床冷暖房用マット（１０、３０、４０）において、隣接する小根太の中心軸間が２５０ｍｍ以下であり、それぞれの小根太に設けられた不連続部が小根太の長手方向と直交する方向に並んでいることを特徴とする床冷暖房用マットを提供することにより前記課題を解決する。
【００１０】
ここで、「並んでいる」とは、それぞれの小根太に設けられた不連続部が、小根太の長手方向と直交する方向に見て、「共通して重なる部分を有している」ことを意味する。なお、この並びは１列に限られない。
【００１１】
請求項２に記載の発明は、請求項１に記載の床冷暖房用マット（１０、３０、４０）において、不連続部（１２、１２、…）の長手方向の大きさが１３０ｍｍ以下であることを特徴とする。
【００１２】
請求項３に記載の発明は、請求項１または２に記載の床冷暖房用マット（１０、３０、４０）において、一部または全部の小根太（１１ａ、１１ｂ、…）が長手方向に複数の不連続部（１２、１２、…）を有し、すべての不連続部の小根太長手方向の中心間の距離が、ｎを自然数としたときに１５０×ｎ±２０ｍｍであることを特徴とする。
【００１３】
請求項４に記載の発明は、請求項１〜３のいずれか一項に記載の床冷暖房用マット（１０、３０、４０）において、幅が１５ｍｍ〜３０ｍｍである小根太（１１ａ、１１ｂ、…）を備えることを特徴とする。
【００１４】
請求項５に記載の発明は、請求項１〜３のいずれか一項に記載の床冷暖房用マット（１０、３０、４０）において、幅が１５ｍｍ〜３０ｍｍの小根太（１１ａ、１１ｂ、…）と、幅が３５ｍｍ〜６０ｍｍの小根太とを備えることを特徴とする。
【００１５】
請求項６に記載の発明は、請求項１〜５のいずれか一項に記載の床冷暖房用マット（１０、３０、４０）において、パネル（１４、１４、…）の厚さが１０ｍｍ以下であることを特徴とする。
【００１６】
請求項７に記載の発明は、請求項１〜６のいずれか一項に記載の床冷暖房用マット（１０、３０、４０）において、小根太（１１ａ、１１ｂ、…）の長手方向と直交する方向に巻き取りを可能とする巻き取り手段を備えることを特徴とする。
【００１７】
請求項８に記載の発明は、請求項１〜７のいずれか一項に記載の床冷暖房用マット（１０、３０、４０）において、小根太（１１ａ、１１ｂ、…）の長手方向と直交する方向、及び／または平行方向に折り畳み可能とする折り畳み手段を備えることを特徴とする。
【発明の効果】
【００１８】
請求項１に記載の発明によれば、小根太の中心軸間を２５０ｍｍ以下と通常より狭くすることで、床材が小根太に固定される部分が多くなるため、床材の変形を防止することができる。また、それぞれの小根太に設けられた不連続部が、床材の長手方向と直交する方向に並んでいるため、並べられた不連続部全体での長手方向の大きさ（以下「不連続部全体の大きさ」ということがある。）より幅広の床材を使用し、並べられた不連続部を覆うように床材を配置することで、床材を不連続部の両端の小根太及び小小根太で固定して取り付けることができる。これにより、床材の幅方向端部が不連続部に配置されないため、床材の変形を防止することができる。
【００１９】
請求項２に記載の発明によれば、小根太に設けられた不連続部の長手方向の大きさ（以下「不連続部の大きさ」ということがある。）が１３０ｍｍ以下であるため、並べられた不連続部において共通して重なる部分を大きくすることにより、一般に流通している最小幅１５０ｍｍの床材であっても、並べられた不連続部を覆い、不連続部の両端の小根太で固定して取り付けることができる。これにより、床材の幅によらずに、床材の変形を防止することが可能である。
【００２０】
請求項３に記載の発明によれば、一般に流通している床材の幅は概ね１５０ｍｍの自然数倍であるため、長手方向に複数の不連続部を有する小根太について、すべての不連続部の中心間の距離を１５０×ｎ±２０ｍｍ（ｎは自然数を表す。）とすることで、すべての不連続部を床材で覆い、不連続部の両端の小根太で床材を固定して取り付けることができる。これにより、小根太が長手方向に複数の不連続部を有している場合であっても、すべての不連続部において床材の変形を防止することが可能である。なお、±２０ｍｍは、床材が不連続部を覆って確実に取り付けられるための許容範囲である。
【００２１】
請求項４に記載の発明によれば、一般的にパネルには発泡樹脂が用いられており、小根太は木材であることから小根太はパネルより熱伝導率が良く、小根太を多くすると、小根太と室外との熱交換により、冷暖房の効率が低下する。そのため、通常使用される小根太より細い幅１５ｍｍ〜３０ｍｍの小根太を使用することで、小根太と室外との熱交換を減らし、冷暖房の効率を向上させることができる。また、合わせて床冷暖房用マットを軽量化することが可能である。
【００２２】
請求項５に記載の発明によれば、幅１５ｍｍ〜３０ｍｍの小根太と、通常使用される幅３５ｍｍ〜６０ｍｍの小根太とを備えることで、床冷暖房用マットの冷暖房の効率を向上させるとともに、強度を確保することができる。また、幅３５ｍｍ〜６０ｍｍの小根太を床材の長さに応じて配置することで、床材の長手方向端部を幅３５ｍｍ〜６０ｍｍの小根太で固定することが可能である。これにより、床材が太い小根太で支持されるため、床面の強度を確保することができる。
【００２３】
請求項６に記載の発明によれば、小根太の配置間隔を狭くすることで床冷暖房用マットの強度が向上するため、パネルの厚さを１０ｍｍ以下とすることで、床冷暖房用マットの厚さを薄くすることができる。これにより、既存の床面に取り付ける場合であっても、床面の上昇を低減することができる。また、床冷暖房用マットを軽量化することができる。
【００２４】
請求項７に記載の発明によれば、床冷暖房用マットを長手方向と直交する方向に巻くことにより、容易に床冷暖房用マットを搬送することができる。
【００２５】
請求項８に記載の発明によれば、床冷暖房用マットに折り畳み手段を備え、床冷暖房用マットを長手方向と直交する方向、及び／または平行方向に折り畳むことにより、容易に床冷暖房用マットを搬送することができる。特に、パネルの厚さが薄く、巻きによってはパネルが割れてしまう場合に、折り畳み手段を用いることで折り畳み可能となるため、有効である。
【００２６】
本発明のこのような作用及び利得は、次に説明する発明を実施するための最良の形態から明らかにされる。
【発明を実施するための最良の形態】
【００２７】
以下本発明を図面に示す実施形態に基づき説明するが、以下に説明するものは本発明の実施形態の一例であって、本発明はその要旨を超えない限り以下の説明になんら限定されるものではない。
【００２８】
図１は、１つの実施形態にかかる一部に床面２０を設置した床冷暖房用マット１０の平面図である。なお、図１において、同一の部材が繰り返し現れる場合には、一部の部材のみに符号を付して、他の部材の符号は省略する。床冷暖房用マット１０は、床面２０の下に配置され、冷熱媒供給源と、往き管及び戻り管を介して接続されている。図１では、図の見易さのために、床面２０を構成する床材２１、２１、…を破線で示す。床冷暖房用マット１０の表面には、熱拡散用の放熱シート（図示省略）が貼り付けられている。床冷暖房用マット１０は、幅（紙面上下方向の大きさ。以下同じ。）が１８００ｍｍ、長さ（紙面左右方向の大きさ。以下同じ。）が約９００ｍｍである。床冷暖房用マット１０には、長尺な小根太１１ｂ、１１ａ、１１ｂ、１１ａ、…（以下「小根太１１ａ、１１ｂ、…」とする。）が、床冷暖房用マット１０の幅方向に向けて略並行に配置されている。ここでは、５本の小根太１１ａ、１１ｂ、…が配置されている。各小根太１１ａ、１１ｂ、…は、中間部に不連続部１２、１２、…を有することで、端部に小小根太１３ａ、１３ｂ、…を有している。各小根太１１ａ、１１ｂ、…には、隣接して硬質ポリプロピレンなどの発泡樹脂で作られたパネル１４、１４、…が設置されている。パネル１４、１４、…には、溝が刻設され、配管１５が埋設されている。また、パネル１４の一部には切欠部が設けられ、ヘッダ１６が設置されている。ここでは、床冷暖房用マット１０に１本の配管１５が設置されている。配管１５は、各パネル１４、１４、…の端部を巡り、不連続部１２、１２、…を通って床冷暖房用マット１０の全体を巡るように配置されている。この時、配管１５は、小小根太１３ａ、１３ｂ、…に沿って、パネル１４、１４、…の長手方向端部まで配置される。そして、配管１５の両端がヘッダ１６に接続される。ヘッダ１６は２本の独立した流路を有し、各流路は複数の開口部を有している。この開口部には、配管連結部が設けられている。ここでは、各流路は２箇所の開口部を有し、この開口部に配管接続部が設けられている。一の流路の配管連結部が、配管１５の一端及び往き管と接続されている。また、他の流路の配管連結部が、配管１５の他端及び戻り管と接続されている。床面２０は、床冷暖房用マット１０の上に床材２１、２１、…を並べて固定することで構成される。床材２１、２１、…は、長尺の板材であり、小根太１１ａ、１１ｂ、…に接着剤とステープルの併用などにより、それぞれの長手方向を直交するようにして取り付けられている。なお、設置する室内の大きさに応じて、複数の床冷暖房用マット１０、１０、…を並べ、この複数の床冷暖房用マット１０、１０、…の全体を巡るように配管１５を配置することも可能である。
【００２９】
かかる構成により、暖房時には、冷熱媒供給源において加温された熱媒が、往き管を通ってヘッダ１６に供給される。熱媒は、ヘッダ１６から配管１５の一端へ供給され、配管１５を通って床冷暖房用マット１０を循環した後に、配管１５の他端からヘッダ１６へ戻る。そして、熱媒は、ヘッダ１６から戻り管を通って冷熱媒供給源へ送られる。これにより、床冷暖房用マット１０は熱媒により加熱され、床冷暖房用マット１０で温められた床面２０が、輻射熱で室内を暖房する。一方、冷房時には、冷熱媒供給源から冷却された冷媒を供給することで、床冷暖房用マット１０は冷媒により冷却され、床冷暖房用マット１０で冷やされた床面２０が室内から吸熱することで、冷房される。
【００３０】
（小根太１１ａ、１１ｂ、…の間隔）
一般的に、小根太の中心軸間は、建築物の床面の根太の間隔と同じ３０３ｍｍとされるが、床冷暖房用マット１０では、小根太１１ａ、１１ｂ、…の中心軸間を２５０ｍｍ以下とする。これにより、床材２１、２１、…を小根太１１ａ、１１ｂ、…に固定する部分が多くなり、床材の変形を防止することができる。なお、小根太１１ａ、１１ｂ、…の中心軸間は、根太の間隔の概ね半分である１５０ｍｍ程度とすることが好ましい。これにより、根太の上に小根太１１ａ、１１ｂ、…を配置することができ、床冷暖房用マット１０が小根太１１ａ、１１ｂ、…で支持されるため、床冷暖房用マット１０の強度を確保することができる。
【００３１】
（不連続部１２、１２、…の配置）
本発明に係る床冷暖房用マット１０においては、各小根太１１ａ、１１ｂ、…の不連続部１２、１２、…は、小根太１１ａ、１１ｂ、…の長手方向と直交する方向に配列されている。床冷暖房用マット１０では、２列の不連続部１２、１２、…の並びが形成されている。そのため、それぞれの並べられた不連続部１２、１２、…全体の大きさより幅広な床材２１、２１、…を用いることで、小根太１１ａ、１１ｂ、…の長手方向と直交する方向に並んだ不連続部（以下「並んだ不連続部」という。）１２、１２、…を床材２１、２１で覆うことができる。そして、床材２１、２１を不連続部１２、１２、…の両端の小根太１１ａ、１１ｂ、…及び小小根太１３ａ、１３ｂ、…で固定することができる。これにより、床材２１、２１、…の幅方向端部が不連続部１２、１２、…に配置されないため、床材２１、２１、…の変形を防止することができる。
【００３２】
（不連続部１２、１２、…の大きさ）
本発明に係る床冷暖房用マット１０においては、不連続部１２、１２、…の大きさを、１３０ｍｍ以下とすることが好ましい。こうすることで、市場に一般的に流通している最小幅１５０ｍｍの床材２１、２１、…によっても、並べられた不連続部において共通して重なる部分を大きくすることにより、不連続部１２、１２、…を覆うことができる。そして、床材２１、２１を不連続部１２、１２、…の両端の小根太１１ａ、１１ｂ、…及び小小根太１３ａ、１３ｂ、…で固定することができる。これにより、床材２１、２１、…の幅に関わらず、床材２１、２１、…の幅方向端部が不連続部１２、１２、…に配置されないため、床材２１、２１、…の変形を防止することができる。
【００３３】
（不連続部１２、１２、…の中心間の距離）
本発明に係る床冷暖房用マット１０では、長手方向に複数の不連続部１２、１２、…を有している小根太１１ａ、１１ｂ、…において、これらの不連続部１２、１２、…の中心間の距離を１５０×ｎ±２０ｍｍとすることが好ましい。ここにｎは自然数を表す。そして、最初に１列の並んだ不連続部１２、１２、…を覆うように床材２１を配置し、この床材２１を基準として床材２１、２１、…を小根太１１ａ、１１ｂ、…の長手方向及び長手方向と直交する方向に並べて配置する。一般的に床材の幅は概ね１５０ｍｍの自然数倍であるため、こうすることで他の並んだ不連続部１２、１２、…も、床材２１、２１、…で覆うことができる。そのため、すべての不連続部１２、１２、…で、床材２１、２１、…の幅方向端部が不連続部１２、１２、…に配置されないため、床材２１、２１、…の変形を防止することができる。
【００３４】
（小根太１１ａ、１１ｂ、…の幅）
本発明に係る床冷暖房用マット１０においては、幅が１５ｍｍ〜３０ｍｍである小根太（以下「細い小根太」という。）１１ｂを備えることが好ましい。一般的に、床冷暖房用マットでは、幅３５ｍｍ〜６０ｍｍの小根太（以下「太い小根太」という。）１１ａを用いるが、床冷暖房用マットの強度が確保できるときは、細い小根太１１ｂを用いることができる。小根太１１ａ、１１ｂ、…は木材であり、一般的に発泡樹脂が使用されるパネル１４、１４、…より熱伝導率が良い。そのため、細い小根太１１ｂを用いることで、小根太１１ａ、１１ｂ、…と室外との熱交換を減らし、冷暖房の効率を向上させることができる。また、床冷暖房用マット１０の軽量化をすることが可能である。
【００３５】
（小根太１１ａ、１１ｂ、…の配置）
本発明に係る床冷暖房用マット１０においては、細い小根太１１ｂ、１１ｂ、…と、太い小根太１１ａ、１１ａとを備えることが好ましい。床冷暖房用マット１０では、太い小根太１１ａ、１１ａと、細い小根太１１ｂ、１１ｂ、…とを１本ずつ交互に並べて配置している。この配置は任意で良いが、太い小根太１１ａ、１１ａを配置することで、床冷暖房用マット１０の強度を確保することができる。また、床材２１、２１、…が床冷暖房用マット１０の中間部で床材２１、２１、…の長手方向に繋がれるときは、床材２１、２１、…の長手方向端部が太い小根太１１ａ、１１ａの上部で固定されるように、太い小根太１１ａ、１１ａを配置する。こうすることで、床材２１、２１、…が太い小根太１１ａ、１１ａで支持されるため、床面２０の強度を確保することができるとともに、床材２１、２１、…を固定する作業性が向上する。
【００３６】
（パネル１４、１４、…の厚さ）
本発明に係る床冷暖房用マット１０においては、パネル１４、１４、…の厚さを１０ｍｍ以下とすることが好ましい。床冷暖房用マット１０は、小根太１１ａ、１１ｂ、…の中心軸間を通常より狭くすることで、強度が向上している。そのため、パネル１４、１４…を１０ｍｍ以下とすることで、床冷暖房用マット１０を薄くすることが可能である。これにより、既存の床面に取り付ける場合であっても、床面の上昇を低減することができる。また、床冷暖房用マット１０を軽量化することができる。
【００３７】
（配管１５の配置）
本発明に係る床冷暖房用マット１０においては、配管１５を小小根太１３ａ、１３ｂ、…に沿って、パネル１４、１４、…の長手方向端部まで配置している。従来の床冷暖房用マットでは、幅方向において、不連続部より外側まで配管が配置されていなかった。そのため、床面が冷暖房されない部分を有しており、特に、複数の床冷暖房用マットを並べて使用するときに、室内の中央などに暖房されない部分が生じていた。配管１５を上述のとおり配置することで、床冷暖房用マット１０では、床面に冷暖房されない部分が生じることを防ぐことができる。
【００３８】
図２は、一部に床面２０を設置した床冷暖房用マット３０の平面図である。なお、図１と同じ構成を採るものについては、図１にて使用した符号を付し、その説明を省略する。また、図２において、同一の部材が繰り返し現れる場合には、一部の部材のみに符号を付して、他の部材の符号は省略する。床冷暖房用マット３０は、床面２０の下に配置され、冷熱媒供給源と、往き管及び戻り管を介して接続されている。図２では、図の見易さのために、床面２０を構成する床材２１、２１、…を破線で示す。床冷暖房用マット３０は、幅が１５００ｍｍ、長さが約３０００ｍｍである。床冷暖房用マット３０では、全体を巡るように２本の配管３１、３１が配置されている。そのため、ヘッダ３２は、２本の独立した流路を有し、各流路は３箇所の開口部を有している。そして、この開口部に配管連結部が設けられる。一の流路の配管連結部が、２本の配管３１、３１の一端及び往き管と接続されている。また、他の流路の配管連結部が、配管３１、３１の他端及び戻り管と接続されている。
【００３９】
かかる構成により、床冷暖房用マット３０では、冷熱媒を冷熱媒供給源からヘッダ３２を介して２本の配管３１、３１に供給することで、冷暖房を行う。ここで、配管３１、３１を２本とするのは、床冷暖房用マットが大きくなることで配管を長くする必要があるが、１本の配管を長くすると冷熱媒が途中で熱交換できなくなることから、配管の本数を増やし、１本の配管を短くするためである。
【００４０】
（巻き取り手段）
本発明に係る床冷暖房用マット３０は、小根太１１ａ、１１ｂ、…の長手方向と直交する方向に巻き取り可能とする巻き取り手段を備えている。図３（ａ）は、図２のＡ−Ａ断面図であり、床冷暖房用マット３０における巻き取り手段を示している。図３（ｂ）は、巻き取り手段による巻き取り完了時の状況を示す図である。なお、図３において、同一の部材が繰り返し現れる場合には、一部の部材のみに符号を付して、他の部材の符号は省略して表す。床冷暖房用マット３０の表面には、放熱シート３３が貼り付けられている。巻き取り手段は、ヒンジと巻き部とで構成される。ヒンジには、放熱シート３３が用いられる。巻き部には、パネル１４、１４、…が用いられ、その弾性が利用される。また、小根太１１ａ、１１ｂ、…とパネル１４、１４、…との接合部が用いられることがある。例えば、小根太１１ａ、１１ｂ、…とパネル１４、１４、…とを放熱シート３３のみで結合することにより、表面側へ曲げることが可能である。
【００４１】
かかる構成により、放熱シート３３をヒンジとして用い、パネル１４、１４、…や、小根太１１ａ、１１ｂ、…とパネル１４、１４、…との接合部により、表面を内側として、小根太１１ａ、１１ｂ、…の長手方向と直交する方向へ床冷暖房用マット３０を巻くことができる。これにより、巻き及び展開の作業が容易であることから、作業負担を軽減することができる。また、巻くことで小さく梱包できるため、搬送が容易である。
【００４２】
ここで、パネル１４、１４、…の裏面には、長手方向にスリット３４、３４、…を入れることが好ましい。これにより、パネル１４、１４、…が表面側に曲げやすくなり、容易に巻くことができる。また、曲げによりパネル１４、１４、…の裏面が割れるなどの破損を防止することができる。
【００４３】
ただし、床冷暖房用マット３０は、小根太１１ａ、１１ｂ、…の中心軸間が２５０ｍｍ以下であり、従来より狭くなっているため、小根太１１ａ、１１ｂ、…とパネル１４、１４、…との接合部を巻き部として用いることで、パネル１４、１４、…の裏面にスリット３４、３４…を入れなくても、床冷暖房用マット３０を容易に巻くことが可能である。
【００４４】
図４は、一部に床面２０を設置した床冷暖房用マット４０の平面図である。なお、図１と同じ構成を採るものについては、図１にて使用した符号を付し、その説明を省略する。また、図４において、同一の部材が繰り返し現れる場合には、一部の部材のみに符号を付して、他の部材の符号は省略する。床冷暖房用マット４０は、床面２０の下に配置され、冷熱媒供給源と、往き管及び戻り管を介して接続されている。図４では、図の見易さのために、床面２０を構成する床材２１、２１、…を破線で示す。床冷暖房用マット４０は、幅が２４００ｍｍ、長さが約３０００ｍｍである。床冷暖房用マット４０は、２枚の床冷暖房用マット４１、４２を幅方向に並べて備えている。床冷暖房用マット４０では、全体を巡るように４本の配管４３、４３、…が配置されている。そのため、ヘッダ４４は、２本の独立した流路を有し、各流路は５箇所の開口部を有している。この各流路の５箇所の開口部は、一の側面では２箇所、他の側面では１箇所に設けられている。そして、この開口部に配管連結部が設けられている。一の流路の配管連結部に、４本の配管４３、４３、…の一端及び往き管が接続される。また、他の流路の配管連結部に、４本の配管４３、４３、…の他端及び戻り管が接続される。ヘッダ４４が床冷暖房用マット４１に配置されるため、２本の配管４３、４３が床冷暖房用マット４１から床冷暖房用マット４２へ通され、床冷暖房用マット４２の全体を巡るように配置される。残りの２本の配管４３、４３は、床冷暖房用マット４１の全体を巡るように配置される。
【００４５】
かかる構成により、床冷暖房用マット４０では、冷熱媒を冷熱媒供給源からヘッダ４４を介して４本の配管４３、４３、…に供給することで、冷暖房を行う。ここで、配管４３、４３、…を４本とするのは、上述した床冷暖房用マット３０と同様に、１本の配管を長くすると冷熱媒が途中で熱交換できなくなることから、配管の本数を増やし、１本の配管を短くするためである。
【００４６】
（折り畳み手段）
本発明に係る床冷暖房用マット４０では、床冷暖房用マット４１、４２を、小根太１１ａ、１１ｂ、…の長手方向と直交する方向に折り畳み可能とする折り畳み手段を備えている。この折り畳み手段は、折り部４５ａ、４５ｂ、４５ａ、…（以下「折り部４５ａ、４５ｂ、…」という。）を備えている。ここでは、床冷暖房用マット４１、４２は、それぞれ２箇所の山折りの折り部（以下「山折り部」という。）４５ａ、４５ａと１箇所の谷折りの折り部（以下「谷折り部」という。）４５ｂとを備えている。
【００４７】
図５は、床冷暖房マット４０の折り畳み手段を示す図である。図５（ａ）は、図４のＡ−Ａ断面図であり、山折り部４５ａの構成を示している。図５（ｂ）は、図４のＢ−Ｂ断面図であり、谷折り部４５ｂの構成を示している。折り部４５ａ、４５ｂ、…は、細い小根太１１ｂと、隣接する一方のパネル１４との間に、床冷暖房用マット４１、４２の全幅に渡って設けられる。折り部４５ａ、４５ｂ、…では、小根太１１ｂとパネル１４とは側面で結合されていない。そして、山折りの折り部４５ａは、図５（ａ）のとおり、床冷暖房用マット４０の裏面において、小根太１１ｂとパネル１４との間が、テープなどの裏面材４６を貼り付けることで結合されている。表面に貼り付けられる放熱シート３３は、折り部４５ａにおいて不連続とされている。谷折りの折り部４５ｂでは、図５（ｂ）のとおり、表面に放熱シート３３が折り部４５ｂにおいて連続に貼り付けられる。一方、裏面には、裏面材が貼り付けられない。
【００４８】
一方、折り部４５ａ、４５ｂ、…において、配管４３、４３、…は、折り畳み時に座屈することを防ぐため、折り部４５ａ、４５ｂ、…と同じ向き（小根太１１ａ、１１ｂ、…の長手方向）になるように配置されることが好ましい。ただし、図４のとおり、配管４３、４３、…が座屈しない程度に、折り部４５ａ、４５ｂ、…に対して斜めに配置されることは可能である。
【００４９】
また、床冷暖房用マット４０は、小根太の長手方向に折り畳み可能とする折り畳み手段を有している。この折り畳み手段を図４により説明する。折り畳みは、床冷暖房用マット４１と床冷暖房用マット４２との接合部を小根太１１ａ、１１ｂ、…の長手方向に谷折りで折り畳む。そのため、床冷暖房用マット４１と床冷暖房用マット４２とは、側面が結合されていない。折り畳み手段は、床冷暖房用マット４１と床冷暖房用マット４２との接合部に設けられる折り部４７と、配管４３、４３がこの接合部を通る部分４８に貼られている放熱シートを剥がす構成と、部分４８の配管４３、４３を部分的に取り外す構成とを有していることが好ましい。折り部４７では、表面の放熱シート（図示省略）が一部でのみ連続であり、他の部分では不連続となっている。この連続部において、床冷暖房用マット４１と床冷暖房用マット４２とが結合されている。なお、連続部の位置及び大きさは任意で良いが、床冷暖房用マット４０において、小根太１１ａ、１１ｂ、…の長手方向と直交する方向への折り畳みと併用するときには、折り部４７の端部とすることが好ましい。また、連続部の大きさは、連続部への負荷に耐えられる強度を確保できる大きさとすることが好ましい。ここでは、連続部は、折り部４７における紙面左端の山折り部４５ａより左側に設けられている。なお、配管４３、４３、…の内径が直径５ｍｍ以下であることで、曲げ半径が小さくできる場合は、小根太１１ａ、１１ｂ、…の長手方向と直交する方向と同様な手段で折り畳むこともできる。
【００５０】
図６は、床冷暖房用マット４０の折り畳み状況を示す図である。図６（ａ）は折り畳み時の状況を、図６（ｂ）は折り畳み完了時の状況を示す図である。なお、図６（ａ）において、同一の部材が繰り返し現れる場合には、一部の部材のみに符号を付して、他の部材の符号は省略する。床冷暖房用マット４０を小根太１１ａ、１１ｂ、…（図４参照）の長手方向と直交する方向へ折り畳む時には、床冷暖房用マット４１、４２の山折り部４５ａ、４５ａ、…で山折りし、谷折り部４５ｂ、４５ｂで谷折りする。山折りは、床冷暖房用マット４１、４２の裏面に貼り付けられた裏面材４６（図５参照）をヒンジとして用い、床冷暖房用マット４１、４２の裏面を合わせて折り畳む。谷折りは、床冷暖房用マット４０の表面に貼り付けられた放熱シート３３をヒンジとして用い、床冷暖房用マット４１、４２の表面を合わせて床冷暖房用マット４０を折り畳む。この時、折り部４５ａ、４５ｂ、…では、配管４３、４３、…が折り部４５ａ、４５ｂ、…に対してほぼ同じ向きに配置されているため、座屈により折れない。これにより、床冷暖房用マット４１、４２が蛇腹状に折り畳まれ、搬送が容易となる。なお、折り部４５ａ、４５ｂ、…が細い小根太１１ｂ、１１ｂ（図５参照）の横に設けられることで、折り部４５ａ、４５ｂ、…から太い小根太１１ａ、１１ａ、…（図５参照）が離れて配置される。そのため、谷折り部４５ｂ、４５ｂにおいて床冷暖房用マット３０の内側が干渉せず、折り畳みが容易になる。なお、床冷暖房用マット４１、４２では、山折り部４５ａで裏面材４６を、谷折り部４５ｂで放熱シート３３をヒンジとして用いたが、裏面材４６を備えず、または放熱シート３３を不連続として、代わりに折り部４５ａ、４５ｂ、…を跨ぐ配管４３、４３、…をヒンジとして用いることも可能である。
【００５１】
小根太の長手方向への折り畳みでは、部分４８の放熱シートを剥がし、部分４８の配管４３、４３を部分的に取り外すことが好ましい。これにより、床冷暖房用マット４１と床冷暖房用マット４２の間に配置される配管４３、４３がなくなるため、床冷暖房用マット４０を折り部４７で小根太の長手方向へ、谷折りで折り畳むことができる。これにより、搬送が容易となる。なお、配管４３、４３、…の内径が直径５ｍｍ以下であることで、曲げ半径が小さくできる場合は、小根太１１ａ、１１ｂ、…の長手方向と直交する方向と同様な手段で折り畳むこともできる。
【００５２】
折り部４７は、床冷暖房用マット４１と床冷暖房用マット４２が結合されていない部分を有している。そのため、図６（ｂ）のとおり、床冷暖房用マット４１と床冷暖房用マット４２を小根太１１ａ、１１ｂ、…（図４参照）の長手方向と直交する方向へ折り畳んだ後に、床冷暖房用マット４０を小根太１１ａ、１１ｂ、…の長手方向に折り畳むことができる。なお、床冷暖房用マット４０を小根太１１ａ、１１ｂ、…の長手方向に折り畳んだ後に、床冷暖房用マット４１と床冷暖房用マット４２を小根太１１ａ、１１ｂ、…の長手方向と直交する方向へ折り畳んでもよい。これにより、床冷暖房用マット４０が小さく梱包されるため、さらに容易に搬送することができる。また、上述した巻き取り手段で生じる巻き癖が、折り畳み手段では生じないため、設置作業がしやすいことから、効率的に作業を行うことができる。
【００５３】
なお、図４のとおり、床冷暖房用マット４０では、ヘッダ４４に３方向から配管４３、４３、…を接続することが可能である。従来のヘッダは、床冷暖房用マットの長さ方向にのみ配管結合部を有していた。そのため、床冷暖房用マットの幅方向からの配管を、曲げることで床冷暖房用マットの長さ方向とする必要があった。この曲げ部での配管と小根太の干渉を避けるために、小根太の不連続部が大きくなり、これにより床材の幅方向端部が不連続部に配置され、固定できないことで床材が変形することがあった。ヘッダ４４では、幅方向からの配管４３、４３を接続することができるため、不連続部１２が大きくならず、床材２１、２１、…の変形を防止することが可能である。
【００５４】
図７は、床冷暖房用マット５０を、巻き及び折り畳みした状況を示す図である。床冷暖房用マット５０は、床冷暖房用マット４０において、小根太１１ａ、１１ｂ、…の長手方向と直交する方向に巻き取り可能とする巻き取り手段を備え、小根太１１ａ、１１ｂ、…の長手方向への折り畳み手段を山折りとしたものである。そのため、床冷暖房用マット４０と同一の構成を採るものについては、同一の符号を用い、その説明を省略する。図７（ａ）は、山折りの折り畳み手段を示す図である。図７（ｂ）は、床冷暖房用マット５０の、巻き及び折り畳み完了時の状況を示す図である。床冷暖房用マット５０は、床冷暖房用マット４０と同様に、床冷暖房用マット５１、５２を幅方向に並べて備えている。床冷暖房用マット５１、５２は、上述した床冷暖房用マット３０と同様に、小根太１１ａ、１１ｂ、…の長手方向と直交する方向に巻き取り可能とする巻き取り手段を備えている。
【００５５】
一方、小根太１１ａ、１１ｂ、…の長手方向への折り畳み手段は、床冷暖房用マット５１と床冷暖房用マット５２との接合部に設けられる折り部５３と、配管４３、４３がこの接合部を通る部分４８に貼られている放熱シートを剥がす構成と、部分４８の配管４３、４３を部分的に取り外す構成とを有している。折り部５３では、表面の放熱シート３３が不連続となっている。一方、裏面は、折り部５３の一部に裏面材４６が貼り付けられていることで、連続部が設けられている。ここでは、折り部５３における部分４８の裏面が、裏面材４６を貼り付けることで連続部となっている。なお、連続部の位置及び大きさは任意で良いが、床冷暖房用マット５０において、小根太１１ａ、１１ｂ、…の長手方向と直交する方向へ巻き取ることと併用するときには、折り部５３の端部とすることが好ましい。また、連続部の大きさは、連続部への負荷に耐えられる強度を確保できる大きさとすることが好ましい。
【００５６】
かかる構成により、床冷暖房用マット５１、５２は、巻き取り手段により、折り部５３の連続部側へ巻き取られる。その後、床冷暖房用マット５０を、折り畳み手段により折り部５３で山折りし、裏面を合わせて折り畳むことができる。これにより、床冷暖房用マット５０が小さく梱包されるため、容易に搬送することができる。
【００５７】
なお、上記実施形態の折り部４５ａ、４５ｂ、５１、５３の配置を変更し、または数を増減することにより、床冷暖房用マットに応じて折り畳み方法を変更することが可能である。
【００５８】
以上、現時点において、もっとも、実践的であり、かつ、好ましいと思われる実施形態に関連して本発明を説明したが、本発明は、本願明細書中に開示された実施形態に限定されるものではなく、請求の範囲および明細書全体から読み取れる発明の要旨或いは思想に反しない範囲で適宜変更可能であり、そのような変更を伴う床冷暖房用マットもまた本発明の技術的範囲に包含されるものとして理解されなければならない。
【図面の簡単な説明】
【００５９】
【図１】第一の実施形態に係る床冷暖房用マットの平面図である。
【図２】第二の実施形態に係る床冷暖房用マットの平面図である。
【図３】床冷暖房用マットの巻き取り手段及び巻き取り状況を示す図である。
【図４】第三の実施形態に係る床冷暖房用マットの平面図である。
【図５】床冷暖房用マットの折り畳み手段を示す構成図である。
【図６】第三の実施形態に係る床冷暖房用マットの折り畳み状況を示す図である。
【図７】床冷暖房用マットを、巻き及び折り畳みした状況を示す図である。
【図８】従来の床冷暖房システムを示す概略図である。
【符号の説明】
【００６０】
１０  床冷暖房用マット
１１ａ、１１ｂ  小根太
１２  不連続部
１４  パネル
３０  床冷暖房用マット
４０  床冷暖房用マット
４５ａ、４５ｂ  折り部
４７  折り部
５０  床冷暖房用マット
５３  折り部
【図１】
2007322082.tif 000003
【図２】
2007322082.tif 000004
【図３】
2007322082.tif 000005
【図４】
2007322082.tif 000006
【図５】
2007322082.tif 000007
【図６】
2007322082.tif 000008
【図７】
2007322082.tif 000009
【図８】
2007322082.tif 000010